(57)【要約】  【課題】スライドファスナーを使用する際に、噛合状態にある左右エレメント列を隠蔽して外表面側から見えなくすることが可能なスライドファスナーを提供する。  【解決手段】本発明に係るスライドファスナー(10,40,50)は、噛合状態のエレメント列(12,42,52)にファスナー長手方向に沿って取着可能なエレメント列隠し部材(1,1')を組み合わせて用いており、同エレメント列隠し部材(1,1')は、前記スライドファスナー(10,40,50)のテープ表面に露呈する左右の噛合状態ある前記エレメント列(12,42,52)の表面視認部分を被覆して隠蔽するエレメント列隠蔽部(2,2')と、同エレメント列隠蔽部(2,2')の左右端縁から互いに接近する方向に連続的に延設され、前記エレメント列(12,42,52)の下脚部(13b,44b,54b) 、同下脚部(13b,44b,54b) が取着されている部位、又は前記エレメント列(12,42,52)の上脚部と前記ファスナーテープ(11,41,51)との間に嵌着する嵌着部(3,3')とを有している。  【選択図】図２
2009119047.tif 000002
【特許請求の範囲】
【請求項１】
スライドファスナー(10,40,50)の噛合状態にある左右のエレメント列(12,42,52)にファスナー長手方向に沿って取着され、
左右の前記エレメント列(12,42,52)が噛合状態にある前記スライドファスナー(10,40,50)のファスナーテープ(11,41,51)表面に露呈する前記エレメント列(12,42,52)の表面視認部分を被覆して隠蔽するエレメント列隠蔽部(2,2')と、同エレメント列隠蔽部(2,2')の左右端縁から互いに接近する方向に連続的に延設され、前記エレメント列(12,42,52)の下脚部(13b,44b,54b)、同下脚部(13b,44b,54b)が取着されている部位、又は前記エレメント列(12,42,52)の上脚部(13a,44a,54a)と前記ファスナーテープ(11,41,51)との間に嵌着する嵌着部(3,3')とを有してなる、
ことを特徴とするエレメント列隠し部材。
【請求項２】
前記隠し部材(1,1')は、可撓性及び弾性を有しており、同隠し部材(1,1')を撓ませて噛合状態の前記エレメント列(12,42,52)に被せることにより同エレメント列(12,42,52) に取着されてなる請求項１記載のエレメント列隠し部材。
【請求項３】
前記隠し部材(1,1')は、噛合状態の前記エレメント列(12,42,52)の前端部又は後端部から挿入し、ファスナー長手方向に沿ってスライドさせることにより同エレメント列(12,42,52)に取着されてなる請求項１記載のエレメント列隠し部材。
【請求項４】
請求項１〜３のいずれかに記載のエレメント列隠し部材(1,1')との組み合わせからなることを特徴とする隠し部材付きスライドファスナー。
【請求項５】
左右一対のファスナーテープ(11,41) と、同ファスナーテープ(11,41) に取着された左右のエレメント列(12,42) と、前記エレメント列(12,42) に沿って摺動可能に配され、同エレメント列(12,42) を噛合・分離させるスライダーとを備え、
前記ファスナーテープ(11,41) は、テープ主体部(11a,41a) と、同テープ主体部(11a,41a) の側縁に配されたエレメント取付部(11b,41b) とを有し、少なくとも前記スライダーを摺動させて左右の前記エレメント列(12,42) を噛合させるときに、前記ファスナーテープ(11,41) の前記エレメント取付部(11b,41b) が前記テープ主体部(11a,41a) に対して折り返されてなり、
前記エレメント列(12,42) を形成する各ファスナーエレメント(13,44) は、前記ファスナーテープ(11,41) の端縁部に取着される脚部(13a,13b,44a,44b) と、同脚部(13a,13b,44a,44b) から前記ファスナーテープ(11,41) の前記テープ主体部(11a,41a) に向けて配された噛合頭部(13c,44c) とを有し、左右の前記エレメント列(12,42) が噛合するときに、前記ファスナーテープ(11,41) の前記エレメント取付部(11b,41b) が折り返されて前記噛合頭部(13c,44c) が前記ファスナーテープ(11,41) の折返部から外側に向けて突出してなる、
請求項４記載の隠し部材付きスライドファスナー。
【請求項６】
前記エレメント列(12)は、合成樹脂製又は金属製の複数の単独ファスナーエレメント(13)がファスナーテープ(11)に等間隔のピッチで固定されてなる請求項４又は５記載の隠し部材付きスライドファスナー。
【請求項７】
前記エレメント列(42)は、合成樹脂製の連続ファスナーエレメント(44)が前記エレメント取付部(41b) に縫着されることにより形成されてなる請求項４又は５記載の隠し部材付きスライドファスナー。
【請求項８】
左右一対のファスナーテープ(51)と、同ファスナーテープ(51)に取着された左右のエレメント列(52)と、前記エレメント列(52)に沿って摺動可能に配され、同エレメント列(52)を噛合・分離させるスライダーとを備え、
前記ファスナーテープ(51)は、テープ主体部(51a) と、同テープ主体部(51a) の側縁に配されたエレメント取付部(51b) とを有し、
前記エレメント列(52)は、合成樹脂製の連続ファスナーエレメント(54)が前記エレメント取付部(51b) に縫着されることにより形成され、
前記連続ファスナーエレメント(54)は、前記ファスナーテープ(51)の前記エレメント取付部(51b) に縫着される上下脚部(54a,54b) と、同上下脚部(54a,54b) から前記ファスナーテープ(51)の外側に向けて突出する噛合頭部(54c) と、テープ長手方向の前後に隣接する前記ファスナーエレメント(54)の前記上下脚部(54a,54b) の何れかと連結する連結部(54d) とを有し、前記上脚部(54a) が前記下脚部(54b) よりも前記テープ主体部(51a) に向けて長く形成されてなる、
請求項４記載の隠し部材付きスライドファスナー。
【請求項９】
請求項４〜８のいずれかに記載の隠し部材付きスライドファスナー(10,40) が取着されてなることを特徴とするスライドファスナー被着製品。
【請求項１０】
前記スライドファスナー(10,40) の前記エレメント列(12,42) が前記スライドファスナー被着製品(20,30) の外表面側に配され、同エレメント列(12,42) の外表面側に前記隠し部材(1) が取着されることによって前記エレメント列(12,42) が隠蔽されてなる請求項９記載のスライドファスナー被着製品。
【発明の詳細な説明】
【技術分野】
【０００１】
本発明は、スライドファスナーのエレメント列を被覆して隠蔽する隠し部材、及び同隠し部材を備えたスライドファスナー、並びに、同スライドファスナーが取着され、エレメント列が隠蔽されて美観に優れたシートカバー等のスライドファスナー被着製品に関する。
【背景技術】
【０００２】
従来、スライドファスナーは、衣服や鞄等の開口部を開閉するためにその開口部に取り付けられて用いられている。またその他にも、スライドファスナーは、例えばイス、ソファー、自動車用シート等のシートカバーにおいて、シートカバーの取り替えを容易にするために各シート片を端縁部で連結するための連結具（例えば、実開昭５１−４９２１２号公報（特許文献１）及び実開昭６２−３９５９８号公報（特許文献２））や、イス式マッサージ機の保護カバーを連結する連結具（特開平１１−３４２１７０号公報（特許文献３））として利用されており、更に、カーペットや絨毯等の敷物が複数の敷物片からなる場合において、各敷物片の端部同士を互いに着脱する着脱具（実開昭５７−７３８２号公報（特許文献４））としても利用されている。
【０００３】
しかしながら、上述のようなシートカバーや保護カバー等の連結具、及び敷物片の着脱具にスライドファスナーを使用した場合、各最終製品の使用時に、閉鎖状態にあるスライドファスナーのエレメント列が露呈して外表面側から見えてしまい、製品全体としての美感が損なわれるという欠点があった。
【０００４】
このような欠点を改善するために、特開２００５−２９５号公報（特許文献５）には、スライドファスナーのエレメント列を外表面側から見えないように隠蔽し、且つ装飾性を備えたスライドファスナー用テープ（以下、ファスナーテープと記す）が開示されている。
【０００５】
この特許文献５に記載されているファスナーテープについて簡単に説明すると、同ファスナーテープは、テープ主体部と、端部にファスナーエレメントが取着されるエレメント取付部と、テープ表面（外側表面）側にテープ長手方向の全長に渡って配される覆いテープとを有している。また、覆いテープのテープ幅方向の一端縁部は、ファスナーテープのテープ主体部に取着されており、また、その他端縁部には、テープ全長に亘ってエレメント列を覆って隠蔽する膨大部が設けられている。
【０００６】
特許文献５によれば、ファスナーテープのテープ表面側に、上述のような他端縁部に膨大部を設けた覆いテープが配されていることにより、エレメント取付部に形成されたエレメント列をその全長に亘って膨大部により覆い隠すことができ、エレメント列を外側から見えなくすることができるとしている。更に、エレメント列を膨大部によって隠すため、スライドファスナーのスライダーが摺動するときに、膨大部がスライダーに接触しても、同膨大部がスライダーに挟み込まれることが防止され、スライダーを円滑に摺動させることができる。
【０００７】
ところで、米国特許第３，５８７，６５７号明細書（特許文献６）には、スライドファスナーとは連結の仕方が全く異なるが、長さ方向に沿って切断された配管５１の切断端縁同士を、閉鎖部材を用いて連結する連結手段が開示されている。この特許文献６記載されている連結手段について具体的に説明すると、図１０に示したように、複数のワイヤーを収容して保護する合成樹脂製の筒状の配管６１の一部がその長さ方向に沿って切断されており、その切断した端縁６２の外面側には、配管６１の長さ方向に沿って配された弾性を有する左右のレール部（歯）６３，６４が設けられている。
【０００８】
左右の各レール部６３，６４は、その上部に左右外側に向けて膨出した膨大部６５，６６が形成されていて、矢じり状の断面を有している。また、左右のレール部６３，６４における各対向面には、互いに係合可能なほぞ部６３ａ，６４ａと蟻溝部６３ｂ，６４ｂとが対応して設けられている。
【０００９】
また、これらの左右レール部６３，６４を挟持して配管６１の切断端縁６２同士を連結するために、配管６１の長さ方向に沿って閉鎖部材６７が配されている。この閉鎖部材６７には、その内部に左右レール部６３，６４を収容して連結するために、左右レール部６３，６４の断面形状と同一の断面形状を有する内部空間が形成されており、同内部空間の内壁面には、左右レール部６３，６４の膨大部６５，６６を嵌着するための顎部６８，６９が形成されている。
【００１０】
このような構成を有する特許文献６の連結手段は、配管６１の切断端縁６２に形成した左右レール部６３，６４の対向面部を互いに接触させるとともに、閉鎖部材６７を撓ませてレール部６３，６４の上部から被せるように取着する。これによって、左右レール部６３，６４が閉鎖部材６７により挟着されて、配管６１の切断端縁６２を連結することができる。更に、図１０に示した左右の各レール部６３，６４には、上述のようにほぞ部６３ａ，６４ａ及び蟻溝部６３ｂ，６４ｂが形成されているため、閉鎖部材６７により切断端縁６２が連結されたときに、その連結強度が高められる。
【特許文献１】実開昭５１−４９２１２号公報
【特許文献２】実開昭６２−３９５９８号公報
【特許文献３】特開平１１−３４２１７０号公報
【特許文献４】実開昭５７−７３８２号公報
【特許文献５】特開２００５−２９５号公報
【特許文献６】米国特許第３，５８７，６５７号明細書
【発明の開示】
【発明が解決しようとする課題】
【００１１】
例えば、シートカバーや保護カバー等の連結具、及び敷物片の着脱具にスライドファスナーを使用する場合、前記特許文献５に記載の覆いテープを有するファスナーテープを備えたスライドファスナーであれば、上述のように覆いテープの膨大部によりエレメント列を隠して外側から見えなくすることが可能である。
【００１２】
しかし、例えば同スライドファスナーが取り付けられたスライドファスナー被着製品を使用した場合、スライドファスナーがテープ幅方向（左右方向）に引っ張られる強い引っ張り力（横引き力）を受けたときに、その引っ張り力によって覆いテープが左右外側に向けて引っ張られて左右の覆いテープ間に隙間が形成されてしまうため、当該隙間からエレメント列が見えてしまうという不具合があった。
【００１３】
また、例えば前記特許文献５のファスナーテープを備えたスライドファスナーが、例えばスライドファスナー被着製品の曲面した部位に使用した場合等では、覆いテープがファスナーテープに対して立ち上がったり、めくれたりするために隙間が形成され、上述と同様に当該隙間からエレメント列が見え易くなる。このため、被着製品の全体としての美感が損なわれるといった問題があった。
【００１４】
一方、前記特許文献６に記載されている配管６１の左右切断端縁６２を連結する連結手段は、エレメント同士が噛合するスライドファスナーと構成及び機能が全く異なることから、例えば閉鎖部材６７により配管６１の切断端縁６２が連結されているときに、配管６１がその周方向に引っ張られて切断端縁６２に横引き力がかけられると、切断端縁６２が左右へ分離し易いという欠点があった。このため、前述のように左右レール部６３，６４の各対向面にほぞ部６３ａ，６４ａと蟻溝部６３ｂ，６４ｂとが設けられていても、切断端縁６２の連結が安定して維持できない。従って、この特許文献６の連結手段は、例えば前述のようなソファーのシートカバー等に適用することはできなかった。
【００１５】
本発明は上記従来の課題に鑑みてなされたものであって、その具体的な目的は、ソファーのシートカバー等にスライドファスナーを使用する際に、噛合状態にある左右エレメント列を隠蔽して外表面側から見えなくすることが可能なスライドファスナー、及び同スライドファスナーが被着された製品を提供することにある。
【課題を解決するための手段】
【００１６】
本発明によれば、上記目的を達成するために、スライドファスナーの噛合状態にある左右のエレメント列にファスナー長手方向に沿って取着され、左右の前記エレメント列が噛合状態にある前記スライドファスナーのファスナーテープ表面に露呈する前記エレメント列の表面視認部分を被覆して隠蔽するエレメント列隠蔽部と、同エレメント列隠蔽部の左右端縁から互いに接近する方向に連続的に延設され、前記エレメント列の下脚部、同下脚部が取着されている部位、又は前記エレメント列の上脚部と前記ファスナーテープとの間に嵌着する嵌着部とを有してなることを最も主要な特徴とするエレメント列隠し部材が提供される。
【００１７】
本発明に係る前記隠し部材は、可撓性及び弾性を有しており、同隠し部材を撓ませて噛合状態の前記エレメント列に被せることにより同エレメント列に取着されるものであることが好ましい。
【００１８】
一方、前記隠し部材は、噛合状態の前記エレメント列の前端部又は後端部から挿入し、ファスナー長手方向に沿ってスライドさせることにより同エレメント列に取着されるものであっても良い。
【００１９】
また、本発明によれば、前述のエレメント列隠し部材との組み合わせからなることを特徴とする隠し部材付きスライドファスナーが提供される。
この場合、左右一対のファスナーテープと、同ファスナーテープに取着された左右のエレメント列と、前記エレメント列に沿って摺動可能に配され、同エレメント列を噛合・分離させるスライダーとを備え、前記ファスナーテープは、テープ主体部と、同テープ主体部の側縁に配されたエレメント取付部とを有し、少なくとも前記スライダーを摺動させて左右の前記エレメント列を噛合させるときに、前記ファスナーテープの前記エレメント取付部が前記テープ主体部に対して折り返されてなり、前記エレメント列を形成する各ファスナーエレメントは、前記ファスナーテープの端縁部に取着される脚部と、同脚部から前記ファスナーテープの前記テープ主体部に向けて配された噛合頭部とを有し、左右の前記エレメント列が噛合するときに、前記ファスナーテープの前記エレメント取付部が折り返されて前記噛合頭部が前記ファスナーテープの折返部から外側に向けて突出していることが好ましい。
【００２０】
特に、前記エレメント列は、合成樹脂製又は金属製の複数の単独ファスナーエレメントがファスナーテープに等間隔のピッチで固定されていることが好ましい。またその他に、前記エレメント列は、合成樹脂製の連続ファスナーエレメントが前記エレメント取付部に縫着されることにより形成されていても良い。
【００２１】
一方、本発明のスライドファスナーは、左右一対のファスナーテープと、同ファスナーテープに取着された左右のエレメント列と、前記エレメント列に沿って摺動可能に配され、同エレメント列を噛合・分離させるスライダーとを備え、前記ファスナーテープは、テープ主体部と、同テープ主体部の側縁に配されたエレメント取付部とを有し、前記エレメント列は、合成樹脂製の連続ファスナーエレメントが前記エレメント取付部に縫着されることにより形成され、前記連続ファスナーエレメントは、前記ファスナーテープの前記エレメント取付部に縫着される上下脚部と、同上下脚部から前記ファスナーテープの外側に向けて突出する噛合頭部と、テープ長手方向の前後に隣接する前記ファスナーエレメントの前記上下脚部の何れかと連結する連結部とを有し、前記上脚部が前記下脚部よりも前記テープ主体部に向けて長く形成して構成することも可能である。
【００２２】
更に、本発明によれば、前述の隠し部材付きスライドファスナーが取着されていることを特徴とするスライドファスナー被着製品が提供される。
この場合、前記スライドファスナーの前記エレメント列が前記スライドファスナー被着製品の外表面側に配され、同エレメント列の外表面側に前記隠し部材が取着されることによって前記エレメント列が隠蔽されていることが好ましい。
【発明の効果】
【００２３】
本発明により提供されるエレメント列隠し部材は、スライドファスナーの噛合状態にある左右のエレメント列にファスナー長手方向に沿って取着されるものであり、従来では存在しなかった新規の部材である。また、同隠し部材は、噛合状態にある左右エレメント列の露呈する表面視認部分を被覆して隠蔽するエレメント列隠蔽部と、同エレメント列隠蔽部の左右端縁から互いに接近する方向に連続的に延設され、エレメント列の下脚部、下脚部が取着されている部位、又はエレメント列の上脚部とファスナーテープとの間に嵌着する嵌着部とを有している。
【００２４】
即ち、本発明の隠し部材は、噛合状態にあるエレメント列を隠蔽するための部材であって、前記特許文献６のような左右のレール部６３，６４を連結させるための閉鎖部材６７とは本質的に全く異なる部材である。このため、本発明の隠し部材は、前記エレメント列隠蔽部と前記嵌着部とを有していれば良く、例えば特許文献６の閉鎖部材６７のように、その内部空間の断面形状をエレメント列の断面形状に完全に一致させなくても良い。
【００２５】
このような本発明のエレメント列隠し部材であれば、スライドファスナーの噛合状態にある左右のエレメント列に安定して取着でき、また、同隠し部材が左右エレメント列に取着されることにより、同エレメント列を隠蔽して外表面側から見えなくし、スライドファスナー（ファスナー被着製品）の美観を向上させることができる。
【００２６】
この場合、本発明の隠し部材は、可撓性及び弾性を有しており、同隠し部材をその開口が広がるように撓ませて噛合状態の前記エレメント列に被せることにより同エレメント列に取着されるように構成されている。これにより、本発明の隠し部材を、左右のエレメント列に容易に且つ安定して取着でき、エレメント列の隠蔽を確実に行うことができる。
【００２７】
一方、本発明の隠し部材は、噛合状態の前記エレメント列の前端部又は後端部から挿入し、ファスナー長手方向に沿ってスライドさせることにより同エレメント列に取着されるように構成されていても良い。これによっても、本発明の隠し部材を、左右のエレメント列に容易に且つ安定して取着でき、エレメント列の隠蔽を確実に行うことができる。
【００２８】
そして、上述のようなエレメント列隠し部材との組み合わせからなる本発明の隠し部材付きスライドファスナーによれば、隠し部材がスライドファスナーの噛合状態にある左右のエレメント列に取着されることにより、同エレメント列を隠蔽し、外表面側から見えなくすることができる。
【００２９】
更に、本発明のスライドファスナーは、左右のエレメント列同士が互いに噛合してスライドファスナーが閉鎖されるため、例えば前記特許文献６に比べて高い連結強度（噛合強度）を容易に確保でき、左右のエレメント列を分離し難くすることができる。更に、当該噛合状態の左右エレメント列が隠し部材によって被覆されるため、同エレメント列を隠し部材により保護して、その噛合状態を安定して維持することができ、また、各ファスナーエレメントの損傷や破損を防止することができる。
【００３０】
このような本発明に係るスライドファスナーにおいて、ファスナーテープは、スライダーを摺動させて左右のエレメント列を噛合させるときに、前記ファスナーテープの前記エレメント取付部が前記テープ主体部に対して折り返されるように構成されている。また、各ファスナーエレメントは、脚部と噛合頭部とを有しており、左右のエレメント列が噛合するときに、ファスナーテープの折返部から噛合頭部が外側に向けて突出するように構成されている。
【００３１】
このようなスライドファスナーであれば、スライダーを摺動させることにより左右のエレメント列を安定して噛合させることができる。またこの場合、左右のエレメント列を従来から一般的に用いられているファスナーエレメントによって形成しても、噛合状態にある左右エレメント列に隠し部材を容易に取着して、同エレメント列を隠蔽することができる。
【００３２】
また本発明のスライドファスナーにおいて、前記エレメント列は、合成樹脂製又は金属製の複数の単独ファスナーエレメントがファスナーテープに等間隔のピッチで固定されている。またその他に、前記エレメント列は、合成樹脂製の連続ファスナーエレメントがエレメント取付部に縫着されることにより形成されていても良い。エレメント列が上述のように形成されていれば、高い噛合強度を安定して確保することができるとともに、当該噛合した左右エレメント列に隠し部材を容易に取着することができる。
【００３３】
本発明のスライドファスナーにおけるその他の態様として、エレメント列は、合成樹脂製の連続ファスナーエレメントをファスナーテープのエレメント取付部に縫着することにより形成されており、この連続ファスナーエレメントは、上下脚部と、同上下脚部からテープ外側に向けて突出する噛合頭部と、隣接するファスナーエレメントと連結する連結部とを有し、ファスナーエレメントの上脚部が下脚部よりもテープ主体部に向けて長く形成されている。
【００３４】
このようなスライドファスナーであっても、スライダーを摺動させることにより左右のエレメント列を噛合させることができる。またこの場合、ファスナーエレメントの上脚部が下脚部よりも長く形成されているため、同上脚部とファスナーテープとの間に隠し部材の嵌着部を嵌着することにより隠し部材を取着することができ、同隠し部材によりエレメント列を容易に隠蔽することができる。
【００３５】
そして、上述のような隠し部材付きスライドファスナーが取着されている本発明のスライドファスナー被着製品、特に、スライドファスナーのエレメント列が外表面側に配されている被着製品であれば、噛合状態にある左右のエレメント列に隠し部材を取着して当該エレメント列を隠蔽することができるため、その美観を大幅に向上させることができる。また、隠し部材が取着されることにより、エレメント列の噛合状態を安定して維持することができる。更に、同エレメント列が隠し部材により保護されるため、ファスナーエレメントの損傷や破損を防止でき、その上、エレメント列が露呈する場合に比べて被着製品の良好な肌触りを確保することができる。
【発明を実施するための最良の形態】
【００３６】
以下、本発明の好適な実施の形態について、実施例を挙げて図面を参照しながら詳細に説明する。
【実施例１】
【００３７】
図１は、本発明の実施例１に係るエレメント列隠し部材の断面図を示している。
本実施例１に係るエレメント列隠し部材１は、熱可塑性エラストマーやポリウレタン樹脂を押出成形することにより形成されており、可撓性及び弾性を有している。なお、本発明において、エレメント列隠し部材１の材質及び形成方法は特に限定されるものではなく、例えばエレメント列隠し部材１を構成する材料としては、その他の軟質合成樹脂材料、硬質合成樹脂材料（半硬質を含む）、金属材料、セラミックス材料などを用いることができる。
【００３８】
本実施例１のエレメント列隠し部材１は、図１に示した略C字状の横断面形状を有する長尺な部材に形成されており、その長さ方向の寸法は、当該エレメント列隠し部材１が取着される後述のスライドファスナー１０における左右エレメント列１２の表面視認部分の全てを被覆できる長さに設定されている。
【００３９】
また、このエレメント列隠し部材１は、噛合状態にある左右エレメント列１２の表面視認部分となる上面部及び左右側面部を被覆して隠蔽するためのエレメント列隠蔽部２と、同エレメント列隠蔽部２の左右端縁から互いに接近する方向に連続的に延設された嵌着部３とを有しており、これらのエレメント列隠蔽部２と嵌着部３との接続部は湾曲状に形成されている。また、嵌着部３の先端部は、その厚さが先端側に漸減するようにテーパー状に形成されている。
【００４０】
このような本実施例１のエレメント列隠し部材１は、図２に示すようなスライドファスナー１０と組み合わせて使用される。なお、図２を参照しながら行う以下の説明においては、本発明の特徴を判り易く説明するために、噛合状態にある左右エレメント列１２において、同左右エレメント列１２の長さ方向を前後方向とし、左右エレメント列１２の幅方向を左右方向とする。また、左右エレメント列１２の長さ方向と幅方向に直交し、ファスナーテープ１１に対して噛合頭部が配されている向きを上方とし、その反対向きを下方とする。
【００４１】
本実施例１において、エレメント列隠し部材１が取着されるスライドファスナー１０は、左右一対のファスナーテープ１１と、同ファスナーテープ１１に取着された左右のエレメント列１２と、同エレメント列１２に沿って摺動可能に配される図示しないスライダーとを備えている。
【００４２】
また、左右の各ファスナーテープ１１は、テープ主体部１１ａと、同テープ主体部１１ａの側縁に配されたエレメント取付部１１ｂとをテープ幅方向に有しており、エレメント取付部１１ｂの端縁には断面円形状の芯紐部１１ｃが設けられている。また、エレメント取付部１１ｂの芯紐部１１ｃよりもテープ内側には、テープ長さ方向に沿って複数の孔部１１ｄが所定の間隔をもって形成されている。
【００４３】
左右のエレメント列１２は、ファスナーテープ１１のエレメント取付部１１ｂに固着された複数のファスナーエレメント１３により形成されている。当該ファスナーエレメント１３は、エレメント取付部１１ｂの孔部１１ｄが形成されている位置に配されており、芯紐部１１ｃを含むエレメント取付部１１ｂに同エレメント取付部１１ｂを挟持した状態で取着される上下脚部１３ａ，１３ｂと、上脚部１３ａからテープ主体部１１ａ側に向けて配された噛合頭部１３ｃと、エレメント取付部１１ｂの孔部１１ｄ内に形成され、上下脚部１３ａ，１３ｂ間を連結する連結部１３ｄとを有している。
【００４４】
なお、ファスナーエレメント１３のファスナーテープ１１への取り付けに関しては、従来一般的に用いられている手段によって行うことができる。例えば、ファスナーテープ１１のエレメント取付部１１ｂに合成樹脂を射出成形することによって、所定形状を有する合成樹脂製のファスナーエレメント１３をファスナーテープ１１に一体に固着することができる。
【００４５】
この場合、エレメント１３の材質となる合成樹脂として、例えばポリアセタール、ポリブチレンテレフタレート、ナイロン等を用いることができる。またその他に、銅合金、ニッケル合金、アルミ等の金属を用いてダイキャストを行うことによっても、金属製のエレメントをファスナーテープ１１に固着することが可能である。
【００４６】
左右のファスナーテープ１１に形成されたエレメント列１２は、図示しないスライダーをエレメント列１２に沿って摺動させることにより、噛合・分離させることが可能である。このとき、本実施例１では、スライダーをエレメント列１２に沿ってエレメント噛合方向に摺動させることにより、図２に示したように、ファスナーテープ１１のエレメント取付部１１ｂがテープ主体部１１に対して折り返され、テープ主体部１１とエレメント取付部１１ｂとの境界となるテープ折返部からファスナーエレメント１３の噛合頭部１３ｃが突出し、その突出した左右の噛合頭部１３ｃを互いに噛合させることができる。
【００４７】
なお本発明においては、ファスナーテープ１１に対して、エレメント取付部１１ｂが折り返された状態で熱セットを行うことにより、図２に示したようなエレメント取付部１１ｂが折り返されて噛合頭部１３ｃが突出した形態を予め付与しておくことも可能である。
【００４８】
このように左右のエレメント列１２が噛合したスライドファスナー１０は、ファスナーテープ１１が折り返された状態で保持されており、また、隠し部材１が取着される前の状態では、ファスナーテープ１１の表面側に左右エレメント列１２の上面部及び左右側面部が露呈した状態となる。
【００４９】
そして、本実施例１のスライドファスナー１０では、図２のように噛合状態にある左右のエレメント列１２に対して、隠し部材１をその略Ｃ字状横断面の開口が広がるように撓ませて、同隠し部材１の内部空間４に左右エレメント列１２が収容されるように隠し部材１をエレメント列１２の外表面側から被せる。このとき、隠し部材１のエレメント列隠蔽部２と嵌着部３との接続部が湾曲状に形成されて、隠し部材１が撓ませ易く構成されているため、同隠し部材１をエレメント列１２に容易に被覆させることができる。
【００５０】
これにより、隠し部材１の嵌着部３がエレメント列１２の下脚部１３ｂとファスナーテープ１１のテープ主体部１１ａとの間に入り込み、その結果、エレメント列隠蔽部２と嵌着部３との内部に左右エレメント列１２が挟み込まれて、隠し部材１が左右エレメント列１２に取着される。
【００５１】
このように隠し部材１が左右エレメント列１２に取着されることにより、同隠し部材１のエレメント列隠蔽部２が左右エレメント列１２の上面部及び左右側面部を被覆して隠蔽することができる。更に、左右エレメント列１２が隠し部材１によって被覆されることにより、同エレメント列１２を隠し部材１により保護して、各ファスナーエレメント１３の損傷や破損を防止することができる。
【００５２】
なお、図２では、隠し部材１を撓ませて左右エレメント列１２に取着する場合について説明しているが、本発明において隠し部材１を取着する方法は特に限定されるものではなく、例えば図３に示したように、噛合状態にある左右エレメント列１２の前端部又は後端部から隠し部材１を挿入して、ファスナー長手方向に沿ってスライドさせることによって、隠し部材１を弾性変形させることなく取着することが可能である。
【００５３】
この場合、左右エレメント列１２の前端部又は後端部に配される図示しない上止め部材又は下止め部材は、ファスナーエレメント１３の横断面と同じような断面形状、若しくは類似するような断面形状を有するように形成されているか、又は、上止め部材又は下止め部材がエレメント列１２から排除されていることが好ましい。
【００５４】
例えば、上止め部材又は下止め部材が、エレメント列１２の端部に配された複数のファスナーエレメント１３同士を溶着して固定することにより形成されていれば、ファスナーエレメント１３の横断面と同じ断面形状を有する。このため、隠し部材１をエレメント列１２に挿入するとき、及びファスナー長手方向に沿ってスライドさせるときに、隠し部材１が上止め部材又は下止め部材に引っ掛かることがないため、隠し部材１の取着作業を容易に且つ円滑に行うことができる。このとき、スライドファスナー１０がスライダーをエレメント列の前端部又は後端部から挿脱可能に構成されていることにより、隠し部材１をより容易に取り付けることが可能となる。
【００５５】
また、本実施例１の隠し部材１は、前述のように可撓性及び弾性を有する合成樹脂からなるが、例えば当該隠し部材１が金属のような硬質の材料からなる場合においては、当該隠し部材１を、噛合状態にある左右エレメント列１２の前端部又は後端部から隠し部材１を挿入してスライドさせることによって、容易に取着させることができる。
【００５６】
そして、上述のような本実施例１の隠し部材１付きスライドファスナー１０が被着される製品の具体例としては、例えば図４に示したようなソファー２０のシートカバー２１や、図６に示したようなコード類保持具３０、またその他に、従来技術の欄にて紹介したようなイスや自動車用シート等のシートカバー、保護カバーを備えたイス式マッサージ機、複数の敷物片からなるカーペットや絨毯等の敷物等が挙げられる。
【００５７】
例えば、本実施例１の隠し部材１付きスライドファスナー１０が図４に示したソファー２０のシートカバー２１に被着される場合には、当該スライドファスナー１０は、ソファー２０の背もたれ部２２に配される稜線部２２ａ、手掛部２３に配される稜線部２３、座部２４に配される稜線部２４ａを形成する部位などに配されることが好ましい。
【００５８】
従来では、これらのような稜線部２２ａ，２３ａ，２４ａの裏面側に隠しスライドファスナーを配することにより、ソファー２０のシートクッション２５にシートカバー２１を容易に取り付けることができるとともに、隠しスライドファスナーのエレメント列が外側から見えないように隠蔽している。しかしながら、ソファー２０等のシートカバー２１には、シートクッション２５を包み込むために横引き力が加えられる。これにより、隠しスライドファスナーも横引き力を受けるため、エレメント列を覆い隠している左右のファスナーテープが左右外側に向けて引っ張られて左右のテープ間に隙間が形成され、当該隙間からエレメント列が露呈していた。
【００５９】
これに対して、本実施例１の隠し部材１付きスライドファスナー１０は、図５に示したように、ソファー２０の稜線部２２ａ，２３ａ，２４ａとなる各シートカバー片の連結部位に配され、敢えてエレメント列１２がシートカバー２１の外表面側に露呈するような向きで取り付けられている。この場合、シートカバー２１の端縁部２１ａは、ソファー２０の肌触りを良くするために内側に折り曲げられており、その折り曲げられたシートカバー２１の表面側にスライドファスナー１０のファスナーテープ１１が縫着されている。
【００６０】
そして、ソファー２０のシートクッション２５にシートカバー２１を被せた後、スライドファスナー１０の図示しないスライダーを摺動させて左右のエレメント列１２を噛合させることにより、シートクッション２５にシートカバー２１を取り付けることができる。その後、シートカバー２１の外表面側に露呈した噛合状態にあるエレメント列１２に、可撓性及び弾性を有するエレメント列隠し部材１を撓ませて、隠し部材１の内部空間４に左右エレメント列１２が収容されるように隠し部材１を取着する。
【００６１】
これにより、スライドファスナー１０の左右エレメント列１２を隠蔽することができるとともに、隠し部材１を故意に露呈させることによりソファー２０を装飾して、その美感を向上させることができ、また、ソファー２０の稜線部２２ａ，２３ａ，２４ａにおける肌触りも良好なものとなる。またこの場合、隠し部材１が取着されることによって、左右エレメント列１２が隠し部材１により保護されるため、ファスナーエレメント１３の損傷や破損を防止できる。その上、エレメント列１２が露呈する場合に比べて、ソファー２０の良好な肌触りを確保することができる。
【００６２】
また、本実施例１の隠し部材１付きスライドファスナー１０が、上述のようなソファー２０のシートカバー２１や、自動車用シートのシートカバー及びイス式マッサージ機等に使用される場合では、スライドファスナー１０の左右エレメント列１２を噛合・分離させることによって、シートカバーや保護カバーを容易に着脱することができる。このため、シートカバーや保護カバーの取り替え、及びカバーよりも内側に内容物として収容されている機器のメンテナンス等を容易に行うことが可能となり、また、シートカバーや保護カバー自体の洗濯も容易に行うことができるといった利点も得られる。
【００６３】
なお、前記隠し部材１付きスライドファスナー１０は、エレメント列１２がシートカバー２１の外表面側に露呈するような向きで取り付けられているが、本発明はこれに限定されるものではく、従来の隠しスライドファスナーと同様に、エレメント列１２がシートカバー２１の裏面側に隠れるような向きで取り付けることも可能である。このような向きで隠し部材１付きスライドファスナー１０を取り付けた場合でも、エレメント列１２が隠し部材１により保護されるため、ファスナーエレメント１３の損傷や破損を防止することができる。
【００６４】
一方、本実施例１の隠し部材１付きスライドファスナー１０は、図６に示したような複数のワイヤーやコード等のコード類３１を保持するコード類保持具３０にも好適に使用することができる。この場合、スライドファスナー１０のファスナーテープ１１がコード類保持具３０の筒状部３０ａを形成しており、同筒状部３０ａ内に複数のコード類３１を収容した後、図示しないスライダーを摺動させて左右のエレメント列１２を噛合させることにより、筒状部３０ａ内にコード類３１を保持することができる。
【００６５】
その後、噛合状態にある左右エレメント列１２に隠し部材１を取着する。これにより、左右エレメント列１２を隠蔽することができる。更に、エレメント列１２の噛合状態を安定して維持するとともに、左右エレメント列１２を保護することができる。なお、隠し部材１は、撓ませながら左右エレメント列１２にその外表面側から被せることにより取着することができるが、例えばコード類保持具３０が図６に示したように直線状に形成されている場合等では、噛合状態にある左右エレメント列１２の前端部又は後端部から隠し部材１を挿入し、同隠し部材１をファスナー長手方向に沿ってスライドさせることによって、隠し部材１をより容易に取着することが可能となる。
【実施例２】
【００６６】
図７は、本発明の実施例２に係るエレメント列隠し部材を取着したスライドファスナーの断面図を示している。なお、本実施例２において、前記実施例１と同様の構成を有する部品及び部材については同じ符号を用いて表しており、それによって、その説明を省略することとする。
【００６７】
本実施例２に係る隠し部材１付きスライドファスナー４０は、左右一対のファスナーテープ４１と、同ファスナーテープ４１に取着された左右のエレメント列４２と、各エレメント列４２内に挿通した芯紐４３と、同エレメント列４２に沿って摺動可能に配される図示しないスライダーとを備えている。
左右の前記ファスナーテープ４１は、テープ主体部４１ａと、同テープ主体部４１ａの側縁に配され、エレメント列４２が取着されるエレメント取付部４１ｂとを有している。
【００６８】
左右の前記エレメント列４２は、コイル状の連続ファスナーエレメント４４により形成されており、このコイル状の連続ファスナーエレメント４４は、ポリアミドやポリエステル等の合成樹脂製モノフィラメントをスタンピングにより所定の間隔で押圧して噛合頭部４４ｃを形成した後、コイル状に捲き回すことによって連続して成形されている。
【００６９】
また、左右のエレメント列４２は、その内部に芯紐４３が挿通され、ファスナーテープ４１のエレメント取付部４１ｂ上に、噛合頭部４４ｃをテープ内側に向けた状態で縫着糸４５の二重環縫いを行うことにより上下脚部４４ａ，４４ｂが縫着されて取り付けられている。
【００７０】
このような左右のエレメント列４２は、図示しないスライダーをエレメント列４２に沿って摺動させることにより、図７に示したように、ファスナーテープ４１のエレメント取付部４１ｂがテープ主体部４１ａに対して折り返され、テープ主体部４１ａとエレメント取付部４１ｂとの境界となるテープ折返部からファスナーエレメントの噛合頭部４４ｃが突出し、その突出した左右の噛合頭部４４ｃを互いに噛合させることができる。
【００７１】
なお本実施例２においても、ファスナーテープ４１に対して熱セットを行うことにより、エレメント取付部４１ｂが折り返されて噛合頭部４４ｃが突出した形態を予め付与しておくことも可能である。
【００７２】
その後、噛合状態にある左右のエレメント列４２に対して、隠し部材１をその略Ｃ字状横断面の開口が広がるように撓ませて、同隠し部材１の内部空間４に左右エレメント列４２が収容されるように隠し部材１を左右エレメント列４２の外表面側から被せる。これにより、隠し部材１の嵌着部３がファスナーテープ４１のエレメント取付部４１ｂとテープ主体部４１ａとの間に嵌着し、同隠し部材１が左右エレメント列４２に取着される。
【００７３】
なお、本実施例２においても、噛合状態にある左右エレメント列４２の前端部又は後端部から隠し部材１を挿入して、ファスナー長手方向に沿ってスライドさせることによっても、隠し部材１を取着することが可能である。
【００７４】
以上のように、左右のエレメント列４２がコイル状の連続ファスナーエレメント４４により形成されている本実施例２のスライドファスナー４０であっても、前記実施例１と同様に、左右エレメント列４２を隠し部材１により被覆して隠蔽することができる。更に、左右エレメント列４２が隠し部材１によって被覆されることにより、同エレメント列４２を隠し部材１により保護して、その噛合状態を安定して維持することができ、また、各ファスナーエレメント４４の損傷や破損を防止することができる。
【００７５】
従って、このような本実施例２の隠し部材１付きスライドファスナー４０は、前記実施例１と同様に、ソファー、イス、自動車用シート等のシートカバー、コード類保持具、保護カバーを備えたイス式マッサージ機、複数の敷物片からなるカーペットや絨毯等の敷物等の製品に対して好適に使用される。
【実施例３】
【００７６】
図８は、本発明の実施例３に係るエレメント列隠し部材付きスライドファスナーのエレメント列のみを拡大して示す要部斜視図であり、図９は、同エレメント列隠し部材付きスライドファスナーの一部を拡大して示す要部断面図である。
【００７７】
本実施例３におけるスライドファスナー５０は、左右一対のファスナーテープ５１と、同ファスナーテープ５１に取着された左右のエレメント列５２と、各エレメント列５２内に挿通した芯紐５３と、同エレメント列５２に沿って摺動可能に配される図示しないスライダーとを備えている。
左右の前記ファスナーテープ５１は、テープ主体部５１ａと、同テープ主体部５１ａの側縁に配され、エレメント列５２が取着されるエレメント取付部５１ｂとを有している。
【００７８】
左右の前記エレメント列５２は、ポリアミドやポリエステル等の合成樹脂製モノフィラメントをジグザグ状に屈曲させた連続ファスナーエレメント５４により形成されており、その内部に芯紐５３を挿通した状態で縫着糸５５の二重環縫いを行うことにより、ファスナーテープ５１のエレメント取付部５１ｂに縫着されている。
【００７９】
この場合、連続ファスナーエレメント５４は、エレメント取付部５１ｂに縫着される上下脚部５４ａ，５４ｂと、同上下脚部５４ａ，５４ｂからファスナーテープ５１の外側に向けて突出する噛合頭部５４ｃと、テープ長手方向の前後に隣接するファスナーエレメント５４の上下脚部５４ａ，５４ｂの何れかと連結する連結部５４ｄとを有している。また、上脚部５４ａは、下脚部５４ｂよりもテープ主体部５１ａ側に向けて長く形成されており、この上脚部５４ａとファスナーテープ５１との間には間隙が形成されている。
【００８０】
このような左右のエレメント列５２は、図示しないスライダーをエレメント列５２に沿って摺動させることにより、ファスナーテープ５１から外側に突出した左右の噛合頭部５４ｃを噛合・分離させることができる。
【００８１】
上述のようなスライドファスナー５０と組み合わせて使用される本実施例３のエレメント列隠し部材１’は、噛合状態にある左右エレメント列５２の表面視認部分となる上面部及び左右側面部を被覆して隠蔽するためのエレメント列隠蔽部２’と、同エレメント列隠蔽部２’の左右端縁から互いに接近する方向に連続的に延設された嵌着部３’とを有しており、その横断面形状は略Ｃ字状を呈している。
【００８２】
このような隠し部材１’を噛合状態にある左右のエレメント列５２に取着するときには、前記実施例１及び実施例２と同様に、隠し部材１をその略Ｃ字状横断面の開口が広がるように撓ませて左右エレメント列４２の外表面側から被せる。これにより、図９に示すように、隠し部材１’の嵌着部３’が連続ファスナーエレメント５４の上脚部５４ａとファスナーテープ５１との間に嵌着し、同隠し部材１が左右エレメント列５２に取着される。
【００８３】
なお、本実施例３においても、噛合状態にある左右エレメント列５２の前端部又は後端部から隠し部材１’を挿入して、ファスナー長手方向に沿ってスライドさせることによっても、隠し部材１’を取着することが可能である。
【００８４】
以上のように、左右のエレメント列５２がジグザグ状の連続ファスナーエレメント５４により形成され、噛合頭部５４ｃがエレメント取付部５１ｂから外側に向けて直接突出しているスライドファスナー５０であっても、上脚部５４ａとファスナーテープ５１との間に間隙が形成されていることにより、隠し部材１’を左右エレメント列５２に取着して同左右エレメント列５２を隠蔽することができる。これにより、スライドファスナー５０の美感を向上させることができるとともに、左右エレメント列５２を隠し部材１’により保護して、ファスナーエレメント５４の損傷や破損を防止することができる。
【図面の簡単な説明】
【００８５】
【図１】本発明の実施例１に係るエレメント列隠し部材の断面図である。
【図２】同エレメント列隠し部材を取着したスライドファスナーの断面図である。
【図３】エレメント列隠し部材をスライドさせてエレメント列に取着する場合を説明する説明図である。
【図４】隠し部材付きスライドファスナーが被着されるソファーを示す斜視図である。
【図５】同ソファーの稜線部を拡大して示す部分断面図である。
【図６】隠し部材付きスライドファスナーが被着されるコード類保持具を示す斜視図である。
【図７】本発明の実施例２に係るエレメント列隠し部材を取着したスライドファスナーの断面図である。
【図８】本発明の実施例３に係るエレメント列隠し部材付きスライドファスナーのエレメント列のみを拡大して示す要部斜視図である。
【図９】同エレメント列隠し部材付きスライドファスナーの一部を拡大して示す要部断面図である。
【図１０】従来の配管の切断端縁同士を連結する連結手段を示す要部拡大図である。
【符号の説明】
【００８６】
１，１’          エレメント列隠し部材
２，２’          エレメント列隠蔽部
３，３’          嵌着部
４                内部空間
１０                スライドファスナー
１１                ファスナーテープ
１１ａ              テープ主体部
１１ｂ              エレメント取付部
１１ｃ              芯紐部
１１ｄ              孔部
１２                エレメント列
１３                ファスナーエレメント
１３ａ              上脚部
１３ｂ              下脚部
１３ｃ              噛合頭部
１３ｄ              連結部
２０                ソファー
２１                シートカバー
２１ａ              端縁部
２２                背もたれ部
２２ａ              稜線部
２３                手掛部
２３ａ              稜線部
２４                座部
２４ａ              稜線部
２５                シートクッション
３０                コード類保持具
３０ａ              筒状部
３１                コード類
４０                スライドファスナー
４１                ファスナーテープ
４１ａ              テープ主体部
４１ｂ              エレメント取付部
４２                エレメント列
４３                芯紐
４４                連続ファスナーエレメント
４４ａ              上脚部
４４ｂ              下脚部
４４ｃ              噛合頭部
４５                縫着糸
５０                スライドファスナー
５１                ファスナーテープ
５１ａ              テープ主体部
５１ｂ              エレメント取付部
５２                エレメント列
５３                芯紐
５４                連続ファスナーエレメント
５４ａ              上脚部
５４ｂ              下脚部
５４ｃ              噛合頭部
５４ｄ              連結部
５５                縫着糸
【図１】
2009119047.tif 000003
【図２】
2009119047.tif 000004
【図３】
2009119047.tif 000005
【図４】
2009119047.tif 000006
【図５】
2009119047.tif 000007
【図６】
2009119047.tif 000008
【図７】
2009119047.tif 000009
【図８】
2009119047.tif 000010
【図９】
2009119047.tif 000011
【図１０】
2009119047.tif 000012